(57)【要約】【課題】調理器側の料理対象物や設置物を十分に視認できるレンジフードを提供することを目的とする。【解決手段】調理器２の上方に配設され下方に開口するフード部８と、フード部８の上部に設けられ、フード部８の開口７と連通し、排気流の風路を内部に形成する筒状部９とを備え、排気流は筒状部９内からダクト１２を介して屋外に排出するように構成し、フード部８に形成した開口７に設けられ調理器２と対向するプレート１３に調理器２側を照らす矩形状の照明部１５を設けた構成とする。【選択図】  図３
2004347156.tif 000002
【特許請求の範囲】
【請求項１】
調理器の上方に配設され下方に開口するフード部と、このフード部の上部に設けられ、前記フード部の開口から排気される排気流の風路を内部に形成する筒状部とを備え、排気流は前記フード部の開口から吸い込まれ前記筒状部内を通りダクトを介して屋外に排出するように構成したレンジフードにおいて、前記フード部に形成した開口に設けられ前記調理器と対向するプレートに、前記調理器側を照らす照明部を矩形状に形成して設けたことを特徴とするレンジフード。
【請求項２】
調理器の上方に配設され下方に開口するフード部と、このフード部の上部に設けられ、前記フード部の開口から排気される排気流の風路を内部に形成する筒状部とを備え、排気流は前記フード部の開口から吸い込まれ前記筒状部内を通りダクトを介して屋外に排出するように構成したレンジフードにおいて、前記フード部に形成した開口に設けられ前記調理器と対向するプレートに、前記調理器側を照らす照明部を略円形に形成して設けたことを特徴とするレンジフード。
【請求項３】
調理器の上方に配設され下方に開口するフード部と、このフード部の上部に設けられ、前記フード部の開口から排気される排気流の風路を内部に形成する筒状部とを備え、排気流は前記フード部の開口から吸い込まれ前記筒状部内を通りダクトを介して屋外に排出するように構成したレンジフードにおいて、前記フード部に形成した開口に設けられ前記調理器と対向するプレートに、前記調理器側を照らす照明部を環状に形成して設けたことを特徴とするレンジフード。
【請求項４】
調理器の上方に配設され下方に開口するフード部と、このフード部の上部に設けられ、前記フード部の開口から排気される排気流の風路を内部に形成する筒状部とを備え、排気流は前記フード部の開口から吸い込まれ前記筒状部内を通りダクトを介して屋外に排出するように構成したレンジフードにおいて、前記フード部に形成した開口に設けられ前記調理器と対向するプレートの略全面に前記調理器側を照らす照明部を設けたことを特徴とするレンジフード。
【請求項５】
照明部は複数の照明具を配設して構成することを特徴とする請求項１〜４のいずれかに記載のレンジフード。
【請求項６】
照明具はＬＥＤからなることを特徴とする請求項５記載のレンジフード。
【請求項７】
プレートに透光用の小孔を複数設けたことを特徴とする請求項１〜６のいずれかに記載のレンジフード。
【請求項８】
プレートはガラスで構成したことを特徴とする請求項１〜７のいずれかに記載のレンジフード。
【請求項９】
遮光したプレートに複数の透光部を設けたことを特徴とする請求項８記載のレンジフード。
【請求項１０】
調理器の上方に配設され下方に開口するフード部と、このフード部の上部に設けられ、前記フード部の開口から排気される排気流の風路を内部に形成する筒状部とを備え、排気流は前記フード部の開口から吸い込まれ前記筒状部内を通りダクトを介して屋外に排出するように構成したレンジフードにおいて、前記フード部に形成した開口の端部に、前記調理器側を照らす照明部を設けたことを特徴とするレンジフード。
【発明の詳細な説明】
【０００１】
【発明の属する技術分野】
本発明は、調理器側から発生する油煙などを屋外に排出するとともに、調理器側を照らす照明機能のあるレンジフードに関する。
【０００２】
【従来の技術】
従来、この種のレンジフードは、調理器の上方に取り付けられたレンジフード本体の開口内で排気送風機の下方に照明球を１個設け、下方に向けて照射することで、調理器側を照らして使用者の調理作業が円滑のために効果を発揮していた（例えば特許文献１参照）。
【０００３】
【特許文献１】
特開平６−２４１５２１号公報（〔００１０〕、図１）
【０００４】
【発明が解決しようとする課題】
しかしながら、上記従来の構成は、世の中によく知られている通常のレンジフードの形態であり、照明球により照明カバーを通して下方の調理器側を照らしているものの、その照射可能範囲が小さいため、調理器側で使用されている鍋の形状や大きさによっては、鍋の中の料理対象物の状態や調理器周辺の調味料等の設置物までも十分に視認できないといった課題があった。
【０００５】
また、使用されている照明球は、１個の球状の電球であるため、その下方に反射板等の照射範囲拡大のための部材を有していても、調理器全体または調理器周辺を十分に照明できるものではなく、調理目的だけでなくキッチンを明るくする目的を有するインテリア照明としての機能は有していないという課題があった。
【０００６】
本発明は、上記従来の課題を解決するもので、調理器側の料理対象物や設置物を十分に視認できるレンジフードを提供することを目的とする。
【０００７】
また、インテリア照明としての機能を有するレンジフードを提供することを目的とする。
【０００８】
【課題を解決するための手段】
上記従来の課題を解決するために、本発明のレンジフードは、調理器の上方に配設され下方に開口するフード部と、このフード部の上部に設けられ、前記フード部の開口から排気される排気流の風路を内部に形成する筒状部とを備え、排気流は前記フード部の開口から吸い込まれ前記筒状部内を通りダクトを介して屋外に排出するように構成したレンジフードにおいて、前記フード部に形成した開口に設けられ前記調理器と対向するプレートに、前記調理器側を照らす照明部を矩形状に形成して設けたものである。
【０００９】
また、本発明のレンジフードは、調理器の上方に配設され下方に開口するフード部と、このフード部の上部に設けられ、前記フード部の開口から排気される排気流の風路を内部に形成する筒状部とを備え、排気流は前記フード部の開口から吸い込まれ前記筒状部内を通りダクトを介して屋外に排出するように構成したレンジフードにおいて、前記フード部に形成した開口に設けられ前記調理器と対向するプレートに、前記調理器側を照らす照明部を矩形状に形成して設けたものである。
【００１０】
また、本発明のレンジフードは、調理器の上方に配設され下方に開口するフード部と、このフード部の上部に設けられ、前記フード部の開口から排気される排気流の風路を内部に形成する筒状部とを備え、排気流は前記フード部の開口から吸い込まれ前記筒状部内を通りダクトを介して屋外に排出するように構成したレンジフードにおいて、前記フード部に形成した開口に設けられ前記調理器と対向するプレートに、前記調理器側を照らす照明部を環状に形成して設けたものである。
【００１１】
また、調理器の上方に配設され下方に開口するフード部と、このフード部の上部に設けられ、前記フード部の開口から排気される排気流の風路を内部に形成する筒状部とを備え、排気流は前記フード部の開口から吸い込まれ前記筒状部内を通りダクトを介して屋外に排出するように構成したレンジフードにおいて、前記フード部に形成した開口に設けられ前記調理器と対向するプレートの略全面に前記調理器側を照らす照明部を設けたものである。
【００１２】
また、本発明のレンジフードは、照明部は複数の照明具を配設して構成するものである。
【００１３】
また、本発明のレンジフードは、照明具はＬＥＤからなるものである。
【００１４】
また、本発明のレンジフードは、プレートに透光用の小孔を複数設けたものである。
【００１５】
また、本発明のレンジフードは、プレートはガラスで構成したものである。
【００１６】
また、本発明のレンジフードは、遮光したプレートに複数の透光部を設けたものである。
【００１７】
また、本発明のレンジフードは、調理器の上方に配設され下方に開口するフード部と、このフード部の上部に設けられ、前記フード部の開口から排気される排気流の風路を内部に形成する筒状部とを備え、排気流は前記フード部の開口から吸い込まれ前記筒状部内を通りダクトを介して屋外に排出するように構成したレンジフードにおいて、前記フード部に形成した開口の端部に、前記調理器側を照らす照明部を設けたものである。
【００１８】
【発明の実施の形態】
請求項１に記載の発明は、調理器の上方に配設され下方に開口するフード部と、このフード部の上部に設けられ、前記フード部の開口から排気される排気流の風路を内部に形成する筒状部とを備え、排気流は前記フード部の開口から吸い込まれ前記筒状部内を通りダクトを介して屋外に排出するように構成したレンジフードにおいて、前記フード部に形成した開口に設けられ前記調理器と対向するプレートに、前記調理器側を照らす照明部を矩形状に形成して設けたことにより、比較的小さな面積の照明部で、特に照らしたい箇所を中心に均一な照度を得ることができる。
【００１９】
請求項２に記載の発明は、フード部に形成した開口に設けられ調理器と対向するプレートに、前記調理器側を照らす照明部を略円形に形成して設けたことにより、調理器のほぼ中央付近を中心に照明を当てることができ、調理器に載置した鍋の高さや大きさに関わらず鍋の中の調理対象物にまで光を到達させることができる。
【００２０】
請求項３に記載の発明は、フード部に形成した開口に設けられ調理器と対向するプレートに、前記調理器側を照らす照明部を環状に形成して設けたことにより、調理器側の特に照らしたい箇所の真上に相当するプレートに環状の照明部を形成することにより、比較的幅が狭い環状の照明部から強い光が照射されて特に照らしたい箇所の照度を十分に確保できるとともに、その周辺は必要最低限の照度を確保することが可能となる。
【００２１】
請求項４に記載の発明は、フード部に形成した開口に設けられ調理器と対向するプレートの略全面に前記調理器側を照らす照明部を設けたことにより、調理器全体において均一な照度で広い範囲を照らすことができる。
【００２２】
請求項５に記載の発明は、特に請求項１〜４のいずれかに記載のレンジフードに、照明部は複数の照明具を配設して構成することにより、複数の照明具からなる発光体が占有する体積を小さくできることで、発光体の収納部の高さを低く形成することができる。
【００２３】
請求項６に記載の発明は、特に請求項５記載のレンジフードに、照明具はＬＥＤからなることを特徴とすることにより、照明を長寿命、かつ省電力とすることができ、ＬＥＤの色を選択することで、使用者のニーズやダイニングルームの雰囲気に適応した照明効果のある照明付レンジフードを提供することができる。
【００２４】
請求項７に記載の発明は、特に請求項１〜６のいずれかに記載のレンジフードに、プレートに透光用の小孔を複数設けたことにより、外方に拡散する光が抑制され、調理器周辺にいる人に対してまぶしさ等の不快感がないという効果を有する。
【００２５】
請求項８に記載の発明は、特に請求項１〜７のいずれかに記載のレンジフードに、プレートはガラスで構成したことにより、照明部から発光される光がプレートに反射して広範囲に照明が達するという効果を有する。
【００２６】
請求項９に記載の発明は、特に請求項８に記載のレンジフードに、遮光したプレートに複数の透光部を設けたことにより、外方に拡散する光が抑制され、調理器周辺にいる人に対してまぶしさ等の不快感がないという効果を有する。
【００２７】
請求項１０に記載の発明は、調理器の上方に配設され下方に開口するフード部と、このフード部の上部に設けられ、前記フード部の開口から排気される排気流の風路を内部に形成する筒状部とを備え、排気流は前記フード部の開口から吸い込まれ前記筒状部内を通りダクトを介して屋外に排出するように構成したレンジフードにおいて、前記フード部に形成した開口の端部に、前記調理器側を照らす照明部を設けたことにより、清掃時にプレートを取り外すときにプレートに照明部を有していないため、プレートの掃除性が向上する。
【００２８】
以下、本発明の実施の形態について図面を参照しながら説明する。
【００２９】
（実施の形態１）
図１〜図３に示すように、部屋の中ほどに備えてある調理器台１の一部の調理器２と、調理器２で調理することにより発生する油煙などを屋外に強制的に排出するために、調理器２の上方に設けたレンジフード３と、調理器台１から所定間隔をあけて設けられたキッチンの家具ユニットとしてのキャビネット４とを備えてダイニングルームが構成される。
【００３０】
調理器台１は上部に調理器２を有し、調理器２の横にはシンク５が凹設され、調理器台１に載設された天板６により調理器２とシンク５は一体的に形成され、天板６の下方には収納部７が設けられている。キャビネット４は大きく４分割の構成からなり、積み重ねられた収納棚を有している。調理器台１はダイニングルームの中ほどにあり、調理器台１で調理した料理を皿に盛り付けたり、天板６をテーブル代わりにして食事をしたりするので、調理器台１付近は人が集まって歓談したり、ときには調理器台１の周囲を人が取り囲んでコミュニケーションを図る場所となる。
【００３１】
調理器２の上方には下方に開いた開口７を有したフード部８が調理器２を覆うように所定間隔離れて設けられ、フード部８の上方に内部が空洞の風路である筒状部９が天井１０を貫通するように延設され、天井１０の裏側には吸込口を下方に向けて設け、内部にシロッコファンを有するファンケーシングを備えた送風機１１が設けられ、送風機１１の吹出口は側方に設けられダクト１２と接続されて屋外と連通している。フード部８の開口７には、調理することにより調理器２側から発生する油煙などが上昇し衝突する整流板として機能を有するプレート１３が設けられる。筒状部９には副吸込口１４が上部に設けられ、筒状部９の内部には風路を開閉するためのダンパ（図示せず）が設けられている。
【００３２】
プレート１３には、調理器２側を照らすための矩形状の照明部１５が設けられ、矩形状の照明部１５はプレート１３の下面に対して面一に形成されるかまたは突出して形成されており、矩形状の照明部１５はレンジフード３に設けた押しボタンスイッチ（図示せず）、壁スイッチ、または無線式遠隔操作コントローラを操作することで点灯、消灯が自在であり、矩形状の照明部１５の全体が点灯することにより調理器２およびその周辺を幅広く明るくすることができる。
【００３３】
図３および図４に示すように、プレート１３に矩形状の照明部１５を並列させて形成している。また、照明部の幅を広く形成すれば矩形状の照明部１５は並列することなく１個の矩形のもので構成することもできる。
【００３４】
矩形状の照明部１５はその上方のほぼ全域に設けられた発光体１６が発光することにより矩形状の照明部１５の全体から下方に向けて光が照射されるものである。発光体１６は矩形状の蛍光灯で構成されたり、矩形状の照明部１５の上方全体に配設された複数の電球またはＬＥＤなどの照明具で構成される。発光体１６は回路基板およびその他の電装部品とともに枠体３０の中に収納され、排気流に含まれる油分から保護されている。矩形状の照明部１５の下面の表面には蛍光塗料が塗布され発光体１６による照射をより照度の高い光として調理器２側に提供する。また、蛍光塗料の色彩が白色系であれば照度が高いため、調理器２側の作業性が向上し、また、蛍光塗料の色彩が暖色系であれば調理器台１周辺が暖かみのある空間とする演出に役立つことになり、また、蛍光塗料の色彩が寒色系であればレンジフード３の照明をムード照明として用いることができる。
【００３５】
また、図５に示すように、照明部の形状として他に、略円形の照明部１５Ａをプレート１３Ａに形成することとしてもよい。略円形の照明部１５Ａはその上方のほぼ全域に設けられた発光体が発光することにより略円形の照明部１５Ａの全体から下方に向けて光が照射されるものである。また、発光体に関する構成、および発光体と照明部の関係については、前述の記載と同様であり省略する。
【００３６】
また、図６に示すように、照明部の形状として他に、環状の照明部１５Ｂをプレート１３Ｂに形成することとしてもよい。環状の照明部はその環が一重に限らず、二重以上のものでもよい。環状の照明部１５Ｂはその上方のほぼ全域に設けられた発光体が発光することにより環状の照明部１５Ｂの全体から下方に向けて光が照射されるものである。また、発光体に関する構成、および発光体と照明部の関係については、前述の記載と同様であり省略する。
【００３７】
また、図７に示すように、照明部の形状として他に、プレート１３Ｃの略全面に照明部１５Ｃに形成することとしてもよい。照明部１５Ｃはその上方のほぼ全域に設けられた発光体が発光することにより照明部１５Ｃの全体から下方に向けて光が照射されるものである。また、発光体に関する構成、および発光体と照明部の関係については、前述の記載と同様であり省略する。
【００３８】
プレートは鋼鈑、ガラスなどの不燃性物質で構成し、照明部の下面の材質はガラスなどの不燃性物質で形成したり、その表面を不燃性物質でコーティングして形成する。
【００３９】
本発明において送風機１１を運転すると、調理器２側で発生する油煙などが上昇しプレート１３に衝突してプレート１３の周辺側に広がり、強制的な排気流によってプレート１３とフード部８の間に形成された隙間からフード部８内に引き込まれ、筒状部９内を上昇し送風機１１の吸込口からダクト１２を通って屋外に排出される。フード部８内に吸い込むことができなくて、フード部８の外側に漏れた油煙は、上昇気流によって天井１０付近に至るが、筒状部９の上部に設けられた副吸込口１４から吸い込まれて筒状部９内に至り、ダクト１２を通って屋外に排気される。
【００４０】
なお、送風機１１はその吸込口が下方を向いているものの他に、吸込口および吹出口が天井１０に沿って水平方向に位置するように設けられた送風機を天井１０裏内に設置してもよい。
【００４１】
このように本発明の実施の形態１のレンジフードによれば、調理器２の上方に配設され下方に開口するフード部８と、フード部８の上部に設けられ、フード部８の開口７から排気するために排気流を形成する送風機１１を内部に設けた筒状部９とを備え、排気流は筒状部９内からダクト１２を介して屋外に排出するように構成し、フード部８に形成した開口７に設けられ調理器２と対向するプレート１３に調理器２側を照らす矩形状の照明部１５を設けたので、比較的小さな面積の照明部で、特に照らしたい箇所を中心に均一な照度を得ることができ、調理器２側の料理対象物や設置物を十分に視認することができる。
【００４２】
また、プレートに１３Ａに略円形の照明部１５Ａを形成して設けたので、調理器２のほぼ中央付近を中心に照明を当てることができ、調理器２に載置した鍋の高さや大きさに関わらず鍋の中の調理対象物にまで光が到達するため、使用者は調理の進行状況をより把握し易くなる。
【００４３】
また、プレートに１３Ｂに環状の照明部１５Ｂを形成して設けたので、調理器２側の特に照らしたい箇所の真上に相当するプレート１３Ｂに環状の照明部１５Ｂを形成することにより、比較的幅が狭い環状の照明部１５Ｂから強い光が照射されて特に照らしたい箇所の照度を十分に確保できるとともに、特に照らしたい箇所の周辺は必要最低限の照度を確保することが可能となる。
【００４４】
また、プレート１３Ｃの略全面に照明部１５Ｃを設けたので、調理器２全体において均一な照度で広い範囲を照らすことができる。また、プレート１３Ｃの略全面に設けた照明部１５Ｃから発せられる光はプレート１３Ｃの上方側にも達するので、フード部８および筒状部９の内部を照らすこととなり、使用者がフード部８および筒状部９の内部を掃除する際に汚れを認識できるという効果がある。
【００４５】
また、照明部１５は複数の照明具を配設して構成されるので、発光体が占有する体積を小さくできることで、発光体が収納される枠体の高さを低く形成することができる。また、照明器具の数量を増減することで、発光体の体積を大きくすることなく使用者のニーズや用途に応じた必要な照明量を確保することができる。
【００４６】
また、プレートはガラスで構成することにより、汚れが目立ち掃除性が向上し、照明部から発光される光がプレートに反射して広範囲に照明が達するという効果がある。また、照明部から発せられる光は反射によりプレートの上方側にも達するので、フード部および筒状部の内部を照らすこととなり、使用者がフード部および筒状部の内部を掃除する際に汚れを認識できるという効果がある。
【００４７】
（実施の形態２）
図８に示すように、光を透過しない材質で形成したプレート１３Ｄに透光用の小孔１７を複数設けて照明部１５Ｄを構成する。プレート１３Ｄは鋼鈑、不燃性樹脂、またはその他の不燃性物質からなる。小孔１７はその大きさが直径３〜８ｍｍであり、隣り合う小径１７間の中心間距離は２０〜５０ｍｍである。
【００４８】
小孔１７は縦横それぞれに上記の所定距離の間隔を設けて整列して形成され、プレート１３Ｄの裏面側に備えられている電球またはＬＥＤなどの発光体が発する光が小孔１７に入射して通過し、プレート１３Ｄを貫通するように調理器側に照射される。また、プレート１３Ｄの小孔１７に入射しない発光体による光はプレート１３Ｄの裏面側で反射されることになる。プレート１３Ｄの小孔１７を通過した光は、プレート１３Ｄの下方に備えられた調理器に向かって鉛直方向に降下するため、この光は比較的拡散することなく調理器に到達する。また、プレート１３Ｄの下面から発光体までの距離は１０〜２５ｍｍであるのが望ましい。
【００４９】
このように本発明の実施の形態２のレンジフードによれば、プレート１３Ｄに透光用の小孔１７を複数設けて照明部１５Ｄを構成したことにより、プレート１３Ｄの小孔１７を通過した光はプレート１３Ｄの下方に備えられた調理器に向かって鉛直方向に降下するので、外方に拡散する光が抑制され、調理器周辺にいる人に対してまぶしさ等の不快感がないという効果を有する。さらに、小孔１７の大きさを調節することにより、調理器側に到達する光の強さを調整することが可能である。
【００５０】
また、小孔１７の、プレート１３Ｄ下面側の開口端と発光体のと間の距離を上記所定間隔よりも離して設けることにより、小孔１７を通過して降下する光の直進性が増し、使用者、調理器周辺にいる人、またはダイニングルーム内にいる人がまぶしさを感じにくくなる。
【００５１】
（実施の形態３）
図９および図１０に示すように、遮光したプレート１３Ｅに複数の透光部１９を設ける。プレート１３Ｅの下面に遮光部１８と遮光されていない透光部１９を形成し、透光部１９の上方にＬＥＤなどの発光体２０を設けて照明部１５Ｅを構成する。プレート１３Ｅはガラスなどの素材を遮光する目的でコーティング加工して形成することになる。透光部１９はその大きさが直径３〜８ｍｍであり、隣り合う透光部１９間の中心間距離は２０〜５０ｍｍである。また、プレート１３Ｅの下面から発光体までの距離は１０〜２５ｍｍであるのが望ましい。
【００５２】
透光部１９は縦横それぞれに上記所定距離の間隔を設けて整列して形成され、プレート１３Ｅの裏面側に備えられているＬＥＤなどの発光体が発する光が透光部１９に入射して通過し、プレート１３Ｅを貫通するように調理器側に照射される。また、プレート１３Ｅの透光部１９に入射しない発光体による光はプレート１３Ｅの透光部１９以外の遮光された部分で反射されることになる。透光部１９を通過した光は、プレート１３Ｅの下方に備えられた調理器に向かって鉛直方向に降下するため、この光は比較的拡散することなく調理器に到達する。
【００５３】
このように本発明の実施の形態３のレンジフードによれば、遮光したプレート１３Ｅに透光部１９を複数設けて照明部１５Ｅを構成したことにより、透光部１９を通過した光はプレート１３Ｅの下方に備えられた調理器に向かって鉛直方向に降下するので、外方に拡散する光が抑制され、調理器周辺にいる人に対してまぶしさ等の不快感がないという効果を有する。さらに、小孔１７の大きさを調節することにより、調理器側に到達する光の強さを調整することが可能である。
【００５４】
また、プレート１３Ｅ下面側の透光部１９と発光体との間の距離を上記所定間隔設けることにより、透光部１９を通過して降下する光の直進性が増し、使用者、調理器周辺にいる人、またはダイニングルーム内にいる人がまぶしさを感じにくくなる。
【００５５】
（実施の形態４）
図１１に示すように、フード部８Ａに形成した開口７の端部に照明部２１を設ける。照明部２１は小形の電球またはＬＥＤを開口７の端部に埋めこませて配置させることにより構成され、清掃時にプレート１３Ｃを取り外すときにプレート１３Ｃに照明部を有していないので、照明部が作業の妨げとならずプレートの掃除性が向上する。また、調理器の周囲を照らすダイニングルームにおけるインテリア間接照明として効果も有する。
【００５６】
【発明の効果】
以上のように本発明のレンジフードによれば、フード部に形成した開口に設けられ調理器と対向するプレートに、前記調理器側を照らす照明部を矩形状に形成して設けたので、調理器側の料理対象物や設置物を十分に視認することができる。
【００５７】
また、フード部に形成した開口に設けられ調理器と対向するプレートに、前記調理器側を照らす照明部を略円形に形成して設けたので、調理器のほぼ中央付近を中心に照明を当てることができ、調理器に載置した鍋の高さや大きさに関わらず、調理対象物の視認性が向上する。
【００５８】
また、フード部に形成した開口に設けられ調理器と対向するプレートに、前記調理器側を照らす照明部を環状に形成して設けたので、調理器側の特に照らしたい箇所の照度を十分に確保できるとともに、その周辺は必要最低限の照度を確保することが可能となる。
【００５９】
また、フード部に形成した開口に設けられ前記調理器と対向するプレートの略全面に前記調理器側を照らす照明部を設けたので、調理器全体において均一な照度で広い範囲で照らすことができる。また、ダイニングルームの中の照明機器として使用することができる。
【００６０】
また、照明部は複数の照明具を配設して構成したので、発光体の収納部の高さを低くすることができる。
【００６１】
また、照明具はＬＥＤからなるので、照明が長寿命、かつ省電力とすることができる。
【００６２】
また、プレートに透光用の小孔を複数設けたので、調理器周辺にいる人に対してまぶしさ等の不快感がないという効果を有する。
【００６３】
また、プレートはガラスで構成したので、照明をプレートに反射させて広範囲に照射することができる。
【００６４】
また、遮光したプレートに複数の透光部を設けたので、調理器周辺にいる人に対してまぶしさ等の不快感がないという効果を有する。
【００６５】
また、フード部に形成した開口の端部に、前記調理器側を照らす照明部を設けたことにより、清掃時にプレートを取り外すときにプレートに照明部を有していないので、プレートの掃除性が向上する。
【図面の簡単な説明】
【図１】本発明の実施の形態１のレンジフードを設置したダイニングルームを示す斜視図
【図２】同レンジフードの設置状態を示す正面図
【図３】同レンジフードの矩形状の照明部を示す斜視図
【図４】同レンジフードのプレートを示す断面図
【図５】同レンジフードの略円形の照明部を示す斜視図
【図６】同レンジフードの環状の照明部を示す斜視図
【図７】同レンジフードの照明部を示す斜視図
【図８】本発明の実施の形態２のレンジフードの照明部を示す斜視図
【図９】本発明の実施の形態３のレンジフードの照明部を示す斜視図
【図１０】同レンジフードの照明部を示す断面図
【図１１】本発明の実施の形態４のレンジフードの照明部を示す斜視図
【符号の説明】
２      調理器
３        レンジフード
７      開口
８      フード部
８Ａ    フード部
９      筒状部
１２    ダクト
１３    プレート
１３Ａ  プレート
１３Ｂ  プレート
１３Ｃ  プレート
１３Ｄ  プレート
１３Ｅ  プレート
１５    矩形状の照明部
１５Ａ  略円形の照明部
１５Ｂ  環状の照明部
１５Ｃ  照明部
１５Ｄ  照明部
１５Ｅ  照明部
１７    小孔
１８    遮光部
１９    透光部
２１    照明部
【図１】
2004347156.tif 000003
【図２】
2004347156.tif 000004
【図３】
2004347156.tif 000005
【図４】
2004347156.tif 000006
【図５】
2004347156.tif 000007
【図６】
2004347156.tif 000008
【図７】
2004347156.tif 000009
【図８】
2004347156.tif 000010
【図９】
2004347156.tif 000011
【図１０】
2004347156.tif 000012
【図１１】
2004347156.tif 000013